(57)【要約】【課題】フィルター清掃機能を有する空気調和機に対して、遠方よりフィルター清掃を監視して、遠隔からフィルター清掃の制御を行うことにより、フィルター清掃を適切な時期に、任意に行うことができると共に、後付にてフィルター清掃手段を取り付ける場合で、空気調和機側にフィルター清掃制御を有さないときでも制御を行うことが出来る空気調和機の遠隔制御装置を提供する。【解決手段】フィルター清掃手段１３と、フィルター清掃制御手段１０２と、通信手段１２からなる空気調和機１１と、遠隔制御通信手段３と、フィルター清掃遠隔切換手段４と、フィルター清掃開始タイマー手段５と、フィルター清掃遠隔制御手段２とを備え、フィルター清掃遠隔切換手段４が遠隔に設定されたとき、フィルター清掃遠隔制御手段２は、フィルター清掃開始タイマー手段５によりフィルター清掃手段１０２を動作させるものである。【選択図】図１
2007225132.tif 000002
【特許請求の範囲】
【請求項１】
フィルターを清掃するフィルター清掃手段と、前記フィルター清掃手段を制御するフィルター清掃制御手段と、遠隔制御装置と通信する通信手段からなる空気調和機と、前記空気調和機と通信する遠隔制御通信手段と、フィルター清掃遠隔切換手段と、前記空気調和機の運転時間を積算するフィルター清掃開始タイマー手段と、フィルター清掃遠隔制御手段とを備え、前記フィルター清掃遠隔切換手段にて遠隔制御に設定されたとき、フィルター清掃遠隔制御手段は、前記フィルター清掃開始タイマー手段により前記空気調和機の運転時間を積算し、予め設定された所定時間になったことを検知すると、前記遠隔制御通信手段により、前記空気調和機にフィルター清掃信号を送信し、前記空気調和機のフィルター清掃制御手段が、通信手段を介してその信号を受信すると、フィルター清掃手段を動作させてフィルター清掃を行うを特徴とする空気調和機の遠隔制御装置。
【請求項２】
フィルター清掃の終了を計時するフィルター清掃終了タイマー手段を設け、前記フィルター清掃終了タイマー手段により空気調和機のフィルター清掃時間が予め定められた終了時間に達したとき、フィルター清掃終了信号を空気調和機に送信し、これを受信した空気調和機のフィルター清掃制御手段は、フィルター清掃手段を停止することを特徴とする空気調和機の遠隔制御装置。
【請求項３】
フィルター清掃の開始と終了を、手動かタイマーか切換えるタイマー手動切換手段と、フィルター清掃手動開始手段とからなり、タイマー手動切換手段により、手動に設定されたとき、フィルター清掃手動開始手段により、手動設定にて開始とされたとき、フィルター清掃手段を運転させることを特徴とする請求項１から２のいずれかに記載の空気調和機の遠隔制御装置。
【請求項４】
フィルター清掃手動終了手段を設け、フィルター清掃手動終了手段により、手動設定にて終了とされたとき、フィルター清掃制御手段はフィルター清掃を停止することを特徴とする請求項３に記載の空気調和機の遠隔制御装置。
【請求項５】
フィルター清掃中のときに外部に出力を行うフィルター外部出力手段を設け、フィルター清掃中であることを空気調和機本体以外にも表示させるためのフィルター外部出力手段を設けたことを特徴とする請求項１から請求項４のいずれかに記載の空気調和機の遠隔制御装置。
【発明の詳細な説明】
【技術分野】
【０００１】
本発明は、空気調和機のフィルター清掃を表示する遠隔制御装置に関する。
【背景技術】
【０００２】
従来、この種の空気調和機では、例えば図７に記載された空気調和機がある。
【０００３】
空気吸入口および空気吹き出し口を有し、それらを結ぶ空気通路内にファン１０５と冷凍サイクルに含まれる熱交換器１０４と、フィルター１０３、フィルター清掃制御手段１０１を備えた空気調和機１００で、空気吸入口より吸入した空気を熱交換器１０４にて熱交換して、上記空気吹き出し口より吹き出して室温のコントロールを行う空気調和機１００で、上記空気吸入口の内面に沿って配置されたフィルター１０３と、前記フィルター１０３を清掃するフィルタ清掃手段１０４と、フィルタ清掃手段１０５を制御する制御手段１２とを含み、前記フィルター清掃制御手段１０１は、少なくともあらかじめ設定されたオートクリーン動作積算時間に達した時点で、前記フィルタ清掃手段１０４を駆動する空気調和機１００の制御装置が知られている（例えば、特許文献１参照）。
【特許文献１】特開２００５−１９５２４０号公報
【発明の開示】
【発明が解決しようとする課題】
【０００４】
しかしながら、上記従来の構成では、フィルター清掃の動作を空気調和機側で独自に定めたタイマー時間により自動で行うため、任意の時間に清掃させたり、離れた場所から遠隔にてフィルター清掃を監視したり、制御を行うことが出来ないという問題を有していた。また、空気調和機がフィルター清掃中であることの確認は、空気調和機の表示を確認するしかなく、フィルター清掃中に気がつかないという問題を有していた。
【０００５】
本発明は、上記従来の課題を解決するものであり、空調調和機のフィルター清掃を遠隔から任意に行う空気調和機の遠隔制御装置を提供するものである。
【課題を解決するための手段】
【０００６】
上記課題を解決するため、本発明の空気調和機の遠隔制御装置は、空気調和機のフィルター清掃を行うフィルター清掃手段と、フィルター清掃制御手段と、前記空気調和機と遠隔制御装置間の通信を行う通信手段とを設けた空気調和機と、フィルター清掃遠隔切換手段と、空気調和機のファンの運転時間を計時するタイマー手段と、遠隔よりフィルター清掃の制御信号を出力するフィルター清掃遠隔制御手段を設けたものである。これによって、空気調和機のフィルター清掃を遠隔から制御するものである。
【発明の効果】
【０００７】
本発明の空気調和機の遠隔制御装置は、空気調和機と通信を行うことにより、フィルター清掃信号を送信し、その信号を受けた空気調和機はフィルター清掃を行うことにより、任意の時間の間清掃させたり、任意のときに清掃させたり、離れた場所から遠隔にてフィルター清掃を行うことが可能となる。また、フィルター清掃中を空気調和機以外にも表示可能とするものである。
【発明を実施するための最良の形態】
【０００８】
第１の発明は、空気調和機のフィルター清掃を行うフィルター清掃手段と、前記フィルター清掃手段の制御を行うフィルター清掃制御手段と、空気調和機と遠隔制御装置間との通信を行う通信手段を有する空気調和機と、空気調和機と通信するための遠隔通信手段と
、フィルター清掃を遠隔制御するか否かを設定するフィルター清掃遠隔切換手段と、空気調和機の運転時間を計時するフィルター清掃開始タイマー手段と、フィルター清掃遠隔制御手段を備えた遠隔制御装置で、フィルター清掃開始タイマー手段が所定時間になったとき、フィルター清掃遠隔制御手段は、空気調和機にフィルター清掃信号を送信し、これを受けた空気調和機はフィルター清掃を行うものである。
【０００９】
第２の発明は、特に、第１の発明の空気調和機の遠隔制御装置において、フィルター清掃の終了時間を計時するフィルター清掃終了タイマー手段を設け、空気調和機のフィルター清掃が終了したときに、フィルター清掃終了信号を空気調和機に送信するものである。
【００１０】
第３の発明は、特に、第１または第２の発明の空気調和機の遠隔制御装置に、タイマー手動切換手段と、フィルター清掃手動開始手段を設け、フィルター清掃の開始を手動で行うものである。
【００１１】
第４の発明は、特に、第３の発明の空気調和機の遠隔制御装置に、フィルター清掃手動終了手段を設け、フィルター清掃の終了を手動で行うものである。
【００１２】
第５の発明は、特に、第１から第４のいずれかの発明の空気調和機の遠隔制御装置に、フィルター清掃中を外部に出力する外部出力手段を設け、フィルター清掃遠隔制御手段は、空気調和機のフィルター清掃中の信号を受信中、または、フィルター清掃信号を送信中に外部出力手段により、別の監視盤や表示器にフィルター清掃中であることを表示させることにより、より広くフィルター清掃中であることを促がすものである。
【００１３】
以下、本発明の実施の形態について図面を参照しながら説明する。なお、この実施の形態によって本発明が限定されるものではない。
【００１４】
（実施の形態１）
図１は、本発明の実施の形態１における空気調和機の遠隔制御装置１の構成ブロック図である。同図において、遠隔制御装置１は、フィルター清掃遠隔制御手段２と、空気調和機と通信する遠隔制御通信手段３と、フィルター清掃遠隔切換手段４と、空気調和機の運転時間を積算するフィルター清掃開始タイマー手段５とからなり、空気調和機１１は、通信手段１２、フィルター清掃制御手段１３と、フィルター清掃手段１０２と、フィルター１０３と、熱交換器１０４と、ファン１０５とから構成されている。
【００１５】
以上のように構成された空気調和機の遠隔制御装置１は、フィルター清掃遠隔切換手段４にて遠隔に設定されたとき、フィルター清掃遠隔制御手段２は、フィルター清掃開始タイマー手段５を開始させて、空気調和機１１の運転時間の積算を開始する。（図６のａ）この時間が所定の時間になったことを検知すると、遠隔制御通信手段３により、空気調和機１１にフィルター清掃開始信号を送信する。（図６のｂ）空気調和機１１のフィルター清掃制御手段１３が、通信手段１２を介してその信号を受信すると、フィルター清掃手段１０２を動作させてフィルター清掃を行う（図６のｃ）ことにより、フィルター清掃を遠隔から行うことができるものである。
【００１６】
（実施の形態２）
図２は、本発明の実施の形態２における空気調和機の遠隔制御装置１の構成ブロック図である。同図において、図１と同じ構成要素については同じ符号を用い説明を省略する。
【００１７】
フィルター清掃の終了を計時するフィルター清掃終了タイマー手段６を設け、フィルター清掃終了タイマー手段６により空気調和機１１のフィルター清掃が終了時間に達したとき、フィルター清掃終了信号を空気調和機１１に送信し（図６のd）、これを受信した空
気調和機１１のフィルター清掃制御手段１３は、フィルター清掃手段１０２を停止する（図６のe）。
【００１８】
以上のように構成された空気調和機の遠隔制御装置１は、フィルター清掃の終了時間を遠隔から制御することにより、フィルター清掃の時間を予め定められた一定時間行うことができるものである。
【００１９】
（実施の形態３）
図３は、本発明の実施の形態３における空気調和機の遠隔制御装置の構成ブロック図である。同図において、図１と同じ構成要素については同じ符号を用い説明を省略する。
【００２０】
タイマー手動切換手段７と、フィルター清掃手動開始手段８とを設け、フィルター清掃の開始と終了を、タイマー手動切換手段７により手動に切り換えると、フィルター清掃手動開始手段８にて手動にて開始されたとき、フィルター清掃手段１０２を動作させてフィルター清掃を行う。
【００２１】
以上のように構成された空気調和機の遠隔制御装置１は、フィルター清掃を手動にて開始させることにより、任意の時間にフィルター清掃を行うことができるものである。
【００２２】
（実施の形態４）
図４は、本発明の実施の形態４における空気調和機の遠隔制御装置の構成ブロック図である。同図において、実施の形態１で説明した部分については同じ符号を用い説明を省略する。
【００２３】
フィルター清掃手動終了手段９を設け、フィルター清掃手動終了手段９により、手動設定にて終了とされたとき、フィルター清掃制御手段はフィルター清掃を停止する。
【００２４】
以上のように構成された空気調和機の遠隔制御装置１は、フィルター清掃を手動にて終了させることにより、任意の時間にフィルター清掃を終了することができるものである。
【００２５】
（実施の形態５）
図５は、本発明の実施の形態５における空気調和機の遠隔制御装置の構成ブロック図である。同図において、実施の形態１で説明した部分については同じ符号を用い説明を省略する。
【００２６】
フィルター清掃中のときに外部に出力を行うフィルター外部出力手段１０を設け、フィルター清掃中である場合に、フィルター清掃中であることを出力するものである。
【００２７】
以上のように構成された空気調和機の遠隔制御装置は、外部出力手段としてリレーのような接点出力による出力により別の監視盤へ伝達し、警報用負荷としてランブやブザーのような機器を接続し動作させることにより広範囲にフィルター清掃の警告を促がすことができる。
【産業上の利用可能性】
【００２８】
以上のように、本発明にかかる空気調和機の遠隔制御装置は、フィルター清掃を遠隔から任意に行うことにより、空気調和機での自動清掃以外にフィルター清掃を行うことができるので、空気の汚れがひどい場合などはフィルター清掃を適時行うことができ、空気調和機が長時間停止中などでもフィルター清掃を行うことにより、フィルターに堆積されたごみを適時に清掃することができる。さらに、フィルター清掃中を外部に出力することでフィルター清掃が遠隔確認できる。また、フィルター清掃手段を予め持たない空気調和機
で、フィルター清掃手段を後から付けた場合でも、フィルター清掃を自動で行えることが可能となるのである。
【図面の簡単な説明】
【００２９】
【図１】本発明の実施の形態１における空気調和機の遠隔制御装置の構成ブロック図
【図２】本発明の実施の形態２における空気調和機の遠隔制御装置の構成ブロック図
【図３】本発明の実施の形態３における空気調和機の遠隔制御装置の構成ブロック図
【図４】本発明の実施の形態４における空気調和機の遠隔制御装置の構成ブロック図
【図５】本発明の実施の形態５における空気調和機の遠隔制御装置の構成ブロック図
【図６】本発明の実施の形態１、実施の形態２における空気調和機の状態遷移図
【図７】従来の空気調和機における構成ブロック図
【符号の説明】
【００３０】
１  遠隔制御装置
２  フィルター清掃遠隔制御手段
３  遠隔制御通信手段
４  フィルター清掃遠隔切換手段
５  フィルター清掃開始タイマー手段
６  フィルター清掃終了タイマー手段
７  タイマー手動切換手段
８  フィルター清掃手動開始手段
９  フィルター清掃手動終了手段
１０  フィルター清掃中表示手段
１１  空気調和機
１２  通信手段
１３  フィルター清掃制御手段
１０２  フィルター清掃手段
１０３  フィルター
１０４  熱交換器
１０５  ファン
【図１】
2007225132.tif 000003
【図２】
2007225132.tif 000004
【図３】
2007225132.tif 000005
【図４】
2007225132.tif 000006
【図５】
2007225132.tif 000007
【図６】
2007225132.tif 000008
【図７】
2007225132.tif 000009